(57)【要約】  【課題】  外気温の如何によらず、外気取込口の通気性を確保することができるとともに、エンジンルーム内の温度に応じて冷却率を変更するとともに、消費電力を低減することも可能な車両用ラジエータファン制御装置を提供すること。  【解決手段】  ラジエータファンを回転駆動させる直流モータ装置１１０と、直流モータ装置１１０の回転を制御するモータ回転制御手段１２０と、直流モータ装置１１０へ給電するためのブリッジ回路状に組まれた給電線１３０とを備えており、モータ回転制御手段１２０は、給電線１３０のブリッジ辺部１３１に直流モータ装置１１０が配設されるとともに、給電線１３０の非ブリッジ辺部１３２に夫々ＩＰＳ１２１〜１２４が配設されることにより構成されており、各ＩＰＳ１２１〜１２４を構成する半導体スイッチング素子１２１ｂを切り替えることにより直流モータ装置１１０の回転方向を正逆切替可能とされていることを特徴としている。  【選択図】図１
2005083333.tif 000002
【特許請求の範囲】
【請求項１】
ラジエータファンを回転駆動させる直流モータ装置と、その直流モータ装置の回転を制御するモータ回転制御手段と、前記直流モータ装置へ給電するためのブリッジ回路状に組まれた給電線とを備えた車両用ラジエータファン制御装置において、
前記モータ回転制御手段は、前記給電線のブリッジ辺部に前記直流モータ装置が配設されるとともに、前記給電線の非ブリッジ辺部にそれぞれ電流検出手段およびスイッチング手段を有するインテリジェントパワースイッチ装置が配設されることにより構成されており、そのインテリジェントパワースイッチ装置を構成するスイッチング手段を切り替えることにより前記直流モータ装置の回転方向を正逆切替可能とされていることを特徴とする車両用ラジエータファン制御装置。
【請求項２】
ラジエータファンを回転駆動させる直流モータ装置の回転を制御するモータ回転制御手段を備えた車両用ラジエータファン制御装置において、
前記モータ回転制御手段は、ブリッジ回路状に組まれた給電線のブリッジ辺部に前記直流モータ装置が配設されるとともに、前記給電線の非ブリッジ辺部にそれぞれ電流検出手段およびスイッチング手段を有するインテリジェントパワースイッチ装置が配設されることにより構成されており、そのインテリジェントパワースイッチ装置を構成するスイッチング手段を切り替えることにより前記直流モータ装置の回転方向を正逆切替可能とされていることを特徴とする車両用ラジエータファン制御装置。
【請求項３】
モータ回転制御手段は、車両の冷却用外気取込口部の温度を測定する外気取込口部温度測定手段を備えており、その外気取込口部温度測定手段の測定値に基づいて直流モータ装置の回転方向を切替えるようにされていることを特徴とする請求項１又は２に記載の車両用ラジエータファン制御装置。
【請求項４】
モータ回転制御手段は、給電線に流れる電流をＰＷＭ制御するＰＷＭ制御手段と、車両のエンジンルーム内の温度を測定するエンジンルーム内温度測定手段とを備えており、
前記ＰＷＭ制御手段は、該フィルター部温度測定手段およびエンジンルーム内温度測定手段の測定値に応じてデューティ比を変更するようにされていることを特徴とする請求項１から３の何れかに記載の車両用ラジエータファン制御装置。
【請求項５】
ＰＷＭ制御手段は、電流検出センサおよび半導体スイッチング素子を有するインテリジェントパワースイッチ装置により構成されており、前記半導体スイッチング素子のオン状態又はオフ状態の切替を繰り返すことによりＰＷＭ制御するようにされていることを特徴とする請求項４記載の車両用ラジエータファン制御装置。
【請求項６】
スイッチング手段は、半導体スイッチング素子により構成されていることを特徴とする請求項５記載の車両用ラジエータファン制御装置。
【発明の詳細な説明】
【技術分野】
【０００１】
本発明は、車両用ラジエータファン制御装置に関する。
【背景技術】
【０００２】
車両には、ラジエータ装置を冷却するためのラジエータファン制御装置が設けられている。従来技術のラジエータファン装置の多くは、ラジエータファンを単方向（正方向）にしか回転できなかった。このため種々の問題点があった。
【０００３】
例えば、車両前部の冷却空気吸入口（冷却用外気取込口）に異物が張り付いたり、ファンに異物が挟まったりしたりすると、ファンモータがロックしてしまい、ラジエータやコンデンサの冷却が行えなくなるという問題点があった。
【０００４】
この問題点を解決するものとしては、ファンモータに流れる電流を検出するとともに、その検出した電流値が所定電流値を超えた場合にファンモータがロック状態にあると判断して、ファンモータに流れる電流の向きを正逆切り替えるものがある（特許文献１参照）。
【特許文献１】特開２００２−１３８８３４
【発明の開示】
【発明が解決しようとする課題】
【０００５】
しかしながら、かかる特許文献に記載の車両用ラジエータファン制御装置によれば、雪や霜等により外気取込口の通気性が阻害されている場合においても、車両が非走行中のときには、電流値の変化幅が小さく（所定電流値を超えず）、外気取込口の通気性を早急に確保できないという問題点があった。
【０００６】
また、かかる特許文献に記載の車両用ラジエータファン制御装置を含む従来の車両用ラジエータファン制御装置によれば、エンジンルーム内の温度に応じて、冷却率を変更する機構を有していなかった。このため、夏場において、高速走行または長距離走行を続けた場合に、オーバーヒートしてしまうという問題点があった。
【０００７】
そこで、案出されたのが本発明であって、本発明は、外気温の如何によらず、外気取込口の通気性を確保することができるとともに、エンジンルーム内の温度に応じて冷却率を変更するとともに、消費電力を低減することも可能な車両用ラジエータファン制御装置を提供することを目的としている。
【課題を解決するための手段】
【０００８】
（請求項１）
この目的を達成するために請求項１記載の車両用ラジエータファン制御装置は、ラジエータファンを回転駆動させる直流モータ装置と、その直流モータ装置の回転を制御するモータ回転制御手段と、前記直流モータ装置へ給電するためのブリッジ回路状に組まれた給電線とを備えており、前記モータ回転制御手段は、前記給電線のブリッジ辺部に前記直流モータ装置が配設されるとともに、前記給電線の非ブリッジ辺部にそれぞれ電流検出手段およびスイッチング手段を有するインテリジェントパワースイッチ装置が配設されることにより構成されており、そのインテリジェントパワースイッチ装置を構成する電流検出手段の検出値に応じてスイッチング手段を切り替えることにより前記直流モータ装置の回転方向を正逆切替可能とされているものである。
（請求項２）
請求項２記載のラジエータファン制御装置は、ラジエータファンを回転駆動させる直流モータ装置の回転を制御するモータ回転制御手段を備えており、前記モータ回転制御手段は、ブリッジ回路状に組まれた給電線のブリッジ辺部に前記直流モータ装置が配設されるとともに、前記給電線の非ブリッジ辺部にそれぞれ電流検出手段およびスイッチング手段を有するインテリジェントパワースイッチ装置が配設されることにより構成されており、そのインテリジェントパワースイッチ装置を構成するスイッチング手段を切り替えることにより前記直流モータ装置の回転方向を正逆切替可能とされているものである。
（請求項３）
請求項３記載の車両用ラジエータファン制御装置は、請求項１又は２に記載の車両用ラジエータファン制御装置において、モータ回転制御手段は、車両の冷却用外気取込口部の温度を測定する外気取込口部温度測定手段を備えており、その外気取込口部温度測定手段の測定値に基づいて直流モータ装置の回転方向を切替えるようにされているものである。
（請求項４）
請求項４記載の車両用ラジエータファン制御装置は、請求項１から３の何れかに記載の車両用ラジエータファン制御装置において、モータ回転制御手段は、給電線に流れる電流をＰＷＭ制御（パルス制御）するＰＷＭ制御手段と、車両のエンジンルーム内の温度を測定するエンジンルーム内温度測定手段とを備えており、前記ＰＷＭ制御手段は、該フィルター部温度測定手段およびエンジンルーム内温度測定手段の測定値に応じてデューティ比を変更するようにされている。
（請求項５）
請求項５記載の車両用ラジエータファン制御装置は、請求項４記載の車両用ラジエータファン制御装置において、ＰＷＭ制御手段は、電流検出センサおよび半導体スイッチング素子を有するインテリジェントパワースイッチ装置により構成されており、前記半導体スイッチング素子のオン状態又はオフ状態の切替を繰り返すことによりＰＷＭ制御するようにされているものである。
（請求項６）
請求項６記載の車両用ラジエータファン制御装置は、請求項５記載の車両用ラジエータファン制御装置において、スイッチング手段は、半導体スイッチング素子により構成されているものである。
【発明の効果】
【０００９】
（請求項１及び２）
請求項１及び２に記載の車両用ラジエータファン制御装置によれば、そのインテリジェントパワースイッチ装置を構成する半導体スイッチ素子を切り替えることにより、ラジエータファンを回転駆動させる直流モータ装置の回転方向が正逆切替えられるので、ラジエータ装置内のクーラント液の冷却のみならず、冷却用外気取込口の通気性を確保することができるという効果がある。
また、給電線の非ブリッジ辺部に電流検出手段が設けられているので、モータ回転方向切替時において、給電線の定格容量を超えるような電流が流れたか否かを検出することができるという効果もある。
更に、スイッチング手段及び電流検出手段がインテリジェントパワースイッチ装置により一体化されて構成されているので、取付作業を簡略化することができるという効果もある。
（請求項３）
請求項３記載の車両用ラジエータファン制御装置によれば、請求項１又は２に記載の車両用ラジエータファン制御装置の奏する効果に加え、車両の冷却用外気取込口温度測定手段の測定値に基づいて、直流モータ装置の回転方向が切替えられるので、例えば雪や霜等により冷却用外気取込口が詰まったり凍っているときにおいても、雪や霜等をエンジンルーム内の除去して、フィルター装置の通風性を常に確保することができるという効果がある。
（請求項４）
請求項４記載の車両用ラジエータファン制御装置によれば、請求項１から３の何れかに記載のラジエータファン制御装置の奏する効果に加え、モータ回転制御手段がエンジンルーム内温度測定手段およびＰＷＭ制御手段を備えるとともに、エンジンルーム内温度測定手段の測定値に応じてＰＷＭ制御手段のデューティ比が変更するようにされているので、エンジンルーム内の温度に応じて、冷却率を変更することができるという効果がある。更には、通常運転時における消費電力を低減することができるという効果がある。
（請求項５）
請求項５記載の車両用ラジエータファン制御装置によれば、請求項４記載の車両用ラジエータファン制御装置の奏する効果に加え、ＰＷＭ制御手段が電流検出センサ及び半導体スイッチング素子を有するインテリジェントパワースイッチ装置により構成されるとともに、半導体スイッチング素子のオン状態又はオフ状態の切替を繰り返すことによりＰＷＭ制御が為されるので、オンオフの繰返しに対する耐久性（耐経年劣化性）を確保することができるという効果がある。また、電流も同時に検出することによりフィードバック制御を実行することができるという効果もある。更には、電流検出センサおよび半導体スイッチング素子が一体化されているので、組付け作業を簡略化することができるという効果もある。
（請求項６）
請求項６記載の車両用ラジエータファン制御装置によれば、請求項５記載の車両用ラジエータファン制御装置の奏する効果に加え、スイッチング手段が半導体スイッチング素子により構成されているので、正逆切替制御とＰＷＭ制御とを一の構成で実現することができるという効果がある。
【発明を実施するための最良の形態】
【００１０】
以下、本発明の好ましい実施例について添付図面を参照して説明する。勿論、下記実施例は、本発明の好ましい実施例に過ぎないのであるから、本発明の技術的範囲は、下記実施例そのものに何ら限定されるものではない。
【００１１】
図１は、本発明の一実施例である車両用ラジエータファン制御装置（以下、単に、「ラジエータファン制御装置」と称する。）１００の構成概略図である。図２は、ラジエータファン制御装置１００が配設された車両１０００の概略図である。図１に示すように、ラジエータファン制御装置１００は、直流モータ装置１１０と、モータ回転制御装置１２０と、給電線１３０とを備えている。
【００１２】
直流モータ装置１１０は、ラジエータファン５１０を回転駆動させるものであり、モータ回転制御装置１２０は、直流モータ装置１１０の回転を制御するためのものであり、給電線１３０は、直流モータ装置１１０へ給電するためのブリッジ回路状に組まれたものである。
【００１３】
かかるモータ回転制御装置１２０は、給電線１３０のブリッジ辺部１３１に直流モータ装置１１０が配設されるとともに、給電線１３０の各非ブリッジ辺部１３２にそれぞれインテリジェントパワースイッチ装置（以下、便宜上、単に「ＩＰＳ」と称する。）１２１，１２２，１２３，１２４が配設されることにより構成されている（ここで、ＩＰＳに関する先行技術文献としては、特開２００２−３５３４０４号公報や、特開２０００−３１２１４２号公報が挙げられる。）。また、モータ回転制御装置１２０は、各ＩＰＳ１２１，１２２，１２３，１２４と信号線１２６を介して接続された、制御装置であるエレクトリック・コントロール・システム（以下、便宜上「ＥＣＳ」と称する。）１２５を備えている。
【００１４】
全てのＩＰＳ、具体的にはＩＰＳ(1)１２１、ＩＰＳ(2)１２２、ＩＰＳ(3)１２３およびＩＰＳ(4)１２４は、夫々、電流検出手段の一種である電流検出センサ１２１ａと、スイッチング手段の一種である半導体スイッチング素子１２１ｂとによって構成されている。電流検出センサ１２１ａは、給電線１３０の各非ブリッジ辺部１３２に流れる電流値を検出するためのものであり、半導体スイッチング素子１２１ｂは、各非ブリッジ辺部１３２を接続状態又は切断状態へ切り替えるためのものであり、例えば、ＭＯＳＦＥＴなどの半導体素子によって構成されている。このように、電流検出センサ１２１ａと半導体スイッチング素子１２１ｂとがインテリジェントパワースイッチ装置により構成されているので、即ち一体化されたもので構成されているので、電流検出手段およびスイッチング手段を給電線１３０の各非ブリッジ辺部１３２に配設する作業（取付作業）を簡素化することができる。
【００１５】
ＥＣＳ１２５は、本車両用ラジエータファン制御装置を制御（コントロール）するための処理を実行するものであり、図示しないＡ／Ｄ変換器、メモリ、ＣＰＵ、Ｄ／Ａ変換器等によって構成されている。かかる処理としては、所定の契機に応じて、各ＩＰＳ１２１，１２２，１２３，１２４を構成する半導体スイッチング素子１２１ｂのオン状態又はオフ状態を切り替える処理が挙げられる。例えば、乗車者によるボタン１４０押下操作が行われた場合に、操作信号伝達線１２６ａを介して、ボタン１４０押下操作前にオン状態とされていたＩＰＳ(1)およびＩＰＳ(4)の半導体スイッチング素子１２１ｂをオフ状態とするのである。これにより、例えば、ラジエータファン５１０へ空気を取り込むための冷却用外気取込口５２０に異物が詰まっているとき場合にも、ラジエータファン５１０を逆転させて、その異物が手で直接に取り除かれなくても、自動的に取り除くことができる。ここで、異物が雪や霜等である場合には、それを手で直接に取り除くと手が悴んでしまい、その悴んだ手のまま運転はし難い。また、週末しか運転しないような場合には、昼夜の温度差により雪が凍って氷状態となってしまい手で取り除くことが困難である。本ファンモータ制御装置１００によれば、このような場合にも、自動的に（手で除去作業をしなくても運転者等に強いることなく）、雪や霜等を除去することができるのである。
【００１６】
また、スイッチング手段が半導体スイッチング素子１２１ｂにより構成されているので、直流モータ装置１１０の回転方向切替時に給電線１３０に流れる電流値を低減することができ、ひいては、切替の繰返しに対する耐久性（耐経年劣化性）を確保することができる。
【００１７】
更に、ＥＣＳ１２５により、電流信号線１２６ｂを介して入力された信号値、即ち電流検出センサ１２１ａの出力信号値（検出値）が所定の閾値（しきい値）を超えた場合に、全ての半導体スイッチング素子１２１ｂをオフ状態とする処理が実行される。従って、直流モータ装置１１０の回転方向を切り替えた場合に、給電線１３０に大電流が流れるが、この電流により給電線１３０が損傷してしまうことを防止することができるのである。勿論、所定の閾値以上となった場合に、全ての半導体スイッチング素子１２１ｂをオフ状態とするようにしても良いことはいうまでもない。なお、電流検出センサ１２１ａの出力信号値が所定の閾値以上となった場合に、処理を実行するようにしても良い（以下、検出値が所定の閾値に応じて処理を実行する場合も同様）。
【００１８】
次に、図３を参照して、上記のように構成されたラジエータファン制御装置１００の動作（ラジエータファン回転制御処理Ｓ１００）について説明する。図３に示すように、所定のボタン１４０押下操作が為されるまで待機し（Ｓ１：Ｎｏ）。所定のボタン１４０押下操作が為された場合には（Ｓ１：Ｙｅｓ）、直流モータ装置１１０が逆転（反転）するように、ＥＣＳ１２５によりＩＰＳ(1)１２１及びＩＰＳ(4)１２４の半導体スイッチング素子１２１ｂがオフ状態とされるとともに、ＩＰＳ(2)１２２及びＩＰＳ(3)１２３の半導体スイッチング素子１２１ｂがオン状態とされる（Ｓ２）。従って、仮に冷却用外気取込口５２０に異物が詰まった場合にも、その異物を取り除くことができる。
【００１９】
直流モータ装置１１０の逆転後（Ｓ２）、ＩＰＳ(2)１２２及びＩＰＳ(3)１２３を構成する電流検出センサ１２１ａが所定電流閾値以下であるかが判断され（Ｓ３）、検出電流値が所定電流閾値以下である場合には（Ｓ５：Ｎｏ）、ボタン１４０の押下が解除されるまでの間（Ｓ４：Ｎｏ）、Ｓ２の処理が継続される。ボタン１４０の押下が解除された場合には（Ｓ４：Ｙｅｓ）、直流モータ装置１１０が正転に戻るように、ＥＣＳ１２５によりＩＰＳ(2)１２２及びＩＰＳ(3)１２３の半導体スイッチング素子１２１ｂをオフ状態とする一方、ＩＰＳ(1)１２１及びＩＰＳ(4)１２４の半導体スイッチング素子１２１ｂをオン状態とし（Ｓ５）、その後、処理Ｓ１００を終了する。
【００２０】
一方、ＩＰＳ(2)１２２及びＩＰＳ(3)１２３を構成する電流検出センサ１２１ａの検出値が所定電流閾値より大きい場合には（Ｓ５：Ｙｅｓ）、非ブリッジ辺部１３２が損傷する恐れがあるために、半導体スイッチング素子１２１ｂをオフ状態とし（Ｓ６）、その後、処理Ｓ１００を終了する。
【００２１】
なお、Ｓ２の処理が特許請求の範囲に記載のモータ回転制御手段のソフト部分に相当する（ハード部は、ＩＰＳ１２１〜１２４及びＥＣＳ１２５）。
【００２２】
（第２実施例）
次に、図４及び図５を参照して、上記実施例（第１実施例）とは異なる他の実施例（第２実施例）について説明する。第２実施例のラジエータファン制御装置２００を説明するに当たっては、第１実施例と同一の部分には同一の符号を付してその説明を省略し、異なる部分について説明する。
【００２３】
ラジエータファン制御装置２００は、図１に示す回路構成を備えるとともに、冷却用外気取込口５２０の近傍に冷却用外気取込口温度センサ（以下、単に、「外気取込口温度センサ」と称する。）２４０を備えており、この外気取込口温度センサ２４０の測定値が第１所定温度閾値（０度近傍の値）より低い場合には、直流モータ装置１１０が逆転（反転）するように、ＥＣＳ１２５によりＩＰＳ(1)１２１及びＩＰＳ(4)１２４の半導体スイッチング素子１２１ｂがオフ状態とされるとともに、ＩＰＳ(2)１２２及びＩＰＳ(3)１２３の半導体スイッチング素子１２１ｂがオン状態とされるのである。ここで、外気取込口温度センサ２４０による温度検出の契機（タイミング）は、セルモータが回された場合や、車両が所定時間以上停車している場合が挙げられる。従って、何ら乗車者がボタン１４０押下操作をしなくても（又は、ボタン１４０を設けなくても）、冷却用外気取込口５２０に付着した雪や霜等を除去することが可能となる。
【００２４】
なお、直流モータ装置１１０の逆転の契機（タイミング）は、外気取込口温度センサ２４０の測定値が第１所定温度閾値（０度近傍の値）より低い場合とされているが、第１所定温度閾値以下となった場合でも良く、即ち、外気取込口温度センサ２４０の測定値と第１所定温度閾値との相関関係に基づいて実行される。
【００２５】
上記のように構成されたラジエータファン制御装置２００によれば、図５に示すラジエータファン回転制御処理Ｓ２００が実行される。このＳ２００の処理によれば、外気取込口温度センサ１２１ｂが第１所定温度閾値より小さい場合に（Ｓ２１：Ｙｅｓ）、外気取込口温度センサ１２１ｂが第１所定温度閾値以上となるまでの間（Ｓ２４：Ｎｏ）、Ｓ２の処理が実行される点において、第１実施例と相違する。
【００２６】
（第３実施例）
次に、図６から図８を参照して、上記実施例（第１実施例および第２実施例）とは異なる他の実施例（第３実施例）について説明する。第３実施例のラジエータファン制御装置３００を説明するに当たっては、第１実施例及び第２実施例と同一の部分には同一の符号を付してその説明を省略し、異なる部分について説明する。
【００２７】
ラジエータファン制御装置３００は、図１に示す回路構成を備えるとともに、図６に示すように、エンジンルーム内温度測定手段の一種であるクーラント液温度測定センサ３４０を備えるとともに、このクーラント液温度測定センサ３４０の測定値に応じてＰＷＭ制御するためのＰＷＭ制御手段がＩＰＳ１２１〜１２４によって構成されている。そして、クーラント液温度測定センサ３４０の測定温度が第２所定温度閾値よりも低い場合には、図７に示すように、デューティ比が５０％となるように各半導体スイッチング素子１２１ｂによりＰＷＭ制御が実行される一方、クーラント液温度測定センサ３４０の測定温度が第２所定温度閾値よりも高い場合には、デューテイ比がオン状態の時間が多くなるようにＰＷＭ制御が実行される。従って、正常運転の場合（クーラント液の温度が低い場合）には、冷却率を保持することができるとともに、消費電力を小さくすることができる一方、クーラント液の温度が高くなりオーバーヒート気味となった場合には、ラジエータファン５１０の回転速度を上げて、冷却率を向上させることができるのである。
【００２８】
また、半導体スイッチング素子１２１ｂの接続状態又は遮断状態（オンオフ）の切替によりＰＷＭ制御が実行されるので、即ちオンオフの切替手段が半導体スイッチング手段により構成されているので、オンオフを繰り返しても、必要十分な耐久性（耐経年劣化性）を確保することができるとのである。また、電流検出センサ１２１ａにより電流が検出されるので、フィードバッグ制御を行うことができる。更には、かかる切替手段（スイッチング手段）及び電流検出手段を、半導体スイッチング素子１２１ｂ及び電流検出センサ１２１ａの両構成をもともと（必須）に備えるＩＰＳにより構成することにより、その実現が容易となるし、組み付け作業も簡素化することができる。
【００２９】
なお、直流モータ装置１１０のＰＷＭ制御におけるデューティ比の変更開始の契機（タイミング）は、クーラント液温度センサ３４０の測定値が第２所定温度閾値より高い場合とされているが、第２所定温度閾値以上となった場合等、第２所定温度閾値との相関関係に基づいて実行されるようにされれば良い。
【００３０】
上記のように構成されたラジエータファン制御装置３００によれば、図８に示すラジエータファン回転制御処理Ｓ３００が実行される。まず、クーラント液温度測定センサ３４０の測定温度が第２所定温度閾値よりも低い場合には（Ｓ３１：Ｙｅｓ）、デューティ比が５０％となるように各半導体スイッチング素子１２１ｂがオンオフされる一方（Ｓ３２）、クーラント液温度測定センサ３４０の測定温度が第２所定温度閾値よりも高い場合には（Ｓ３１：Ｙｅｓ）、デューテイ比が５０％よりも高くなるように各半導体スイッチング素子１２１ｂがオンオフされるのである（Ｓ３３）。Ｓ３２及びＳ３３の処理の実行後は、再び処理をＳ３１へ移行して、クーラント液温度測定センサ３４０の測定値と第２所定温度閾値とを比較する（Ｓ３１）。
【００３１】
なお、Ｓ３１のＹｅｓの処理およびＳ３３の処理が、特許請求の範囲に記載のＰＷＭ制御手段のソフト部分に相当する（ハード部分は、ＩＰＳ１２１〜１２４、及びＥＣＳ１２５が相当する）。
【００３２】
（第４実施例）
次に、図９を参照して、上記実施例（第１実施例から第３実施例）とは異なる他の実施例（第４実施例）について説明する。第４実施例のラジエータファン制御装置４００を説明するに当たっては、第１実施例から第３実施例と同一の部分には同一の符号を付してその説明を省略し、異なる部分について説明する。
【００３３】
図９に示すように、第４実施例のラジエータファン制御装置４００は、ラジエータファン制御装置２００及びラジエータファン制御装置３００を組み合わせたものである。このように構成されたラジエータファン制御装置４００は、図５及び図８に示す処理を実行する。
【００３４】
以上、実施例に基づき本発明を説明したが、上記実施例は、本発明の要旨を逸脱しない範囲内で種々の改良変形が可能であることはいうまでもなく、本発明の技術的範囲には、それらの改良変形も含まれる。
【００３５】
例えば、第３実施例においては、エンジンルーム内温度測定手段としてクーラント液温度測定センサ３４０が用いられているが、例えばエンジンオイルの温度を測定するエンジンオイル温度測定センサその他のエンジンルーム内温度測定手段を用いるようにしても良い。第４実施例においても同様である。
【００３６】
また、上記実施例においては、第４実施例のラジエータファン制御装置４００は、ラジエータファン制御装置２００及びラジエータファン制御装置３００を組み合わせることにより構成されているが、ラジエータファン制御装置１００及びラジエータファン制御装置３００を組み合わせることにより構成されても良い。
【００３７】
更に、上記実施例においては、ボタン１４０押下操作が行われた場合には、ファンモータ装置１１０が逆転するようにされているが、走行中に乗車者によるボタン１４０押下操作が行われた場合には、その押下操作を無視するような機能を設けても良い。これによりより安全性を向上するできるとともに、急にモータが停止、逆転することにより装置が故障してしまうことを防止することができる。勿論、冷却用外気取込口温度センサ２４０の測定値に応じて直流モータ装置１１０を逆転させる場合も同様である。
【００３８】
なお、特許請求の範囲の解釈に疑義が生じないように念のために付言すると、給電線のブリッジ辺部に配設される直流モータ装置には、直流モータ装置本体そのものは勿論のこと、モータドライバ（駆動）装置であっても良い。
【図面の簡単な説明】
【００３９】
【図１】本発明の一実施例である（第１実施例の）車両用ラジエータファン制御装置の基本ブロック図（配線図）である。
【図２】本発明の一実施例である車両用ラジエータファン制御装置の構成図である。
【図３】上記ラジエータファン制御装置で実行されるラジエータファン回転制御処理を示すフローチャートである。
【図４】第２実施例の車両用ラジエータファン制御装置の構成図である。
【図５】第２実施例のラジエータファン制御装置で実行されるラジエータファン回転制御処理を示すフローチャートである。
【図６】第３実施例の車両用ラジエータファン制御装置の構成図である。
【図７】第３実施例の車両用ラジエータファン制御装置を構成する半導体スイッチング素子の動作のタイミングチャートである。
【図８】第３実施例のラジエータファン制御装置で実行されるラジエータファン回転制御処理を示すフローチャートである。
【図９】第４実施例の車両用ラジエータファン制御装置の構成図である。
【符号の説明】
【００４０】
１００    車両用ラジエータファン制御装置
１１０    直流モータ装置
１２０    モータ回転制御装置
１２１    インテリジェントパワースイッチ装置（ＩＰＳ）(1)
１２１ａ  電流検出センサ
１２１ｂ  半導体スイッチング素子
１２２    ＩＰＳ(2)
１２３    ＩＰＳ(3)
１２４    ＩＰＳ(4)
１２５    エレクトリック・コントロール・システム（ＥＣＳ）
１２６    信号線
１２６ａ  操作信号伝達線
１２６ｂ  電流信号線
１３０    給電線
１３１    ブリッジ辺部
１３２    非ブリッジ辺部
１４０    ボタン
２００    車両用ラジエータファン制御装置
２４０    冷却用外気取込口温度センサ
３００    車両用ラジエータファン制御装置
３４０    クーラント液温度測定センサ
４００    車両用ラジエータファン制御装置
５１０    ラジエータファン
５２０    冷却用外気取込口
５３０    ラジエータ
１０００  車両
【図１】
2005083333.tif 000003
【図２】
2005083333.tif 000004
【図３】
2005083333.tif 000005
【図４】
2005083333.tif 000006
【図５】
2005083333.tif 000007
【図６】
2005083333.tif 000008
【図７】
2005083333.tif 000009
【図８】
2005083333.tif 000010
【図９】
2005083333.tif 000011